【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
画像を形成する画像形成装置と、通信手段を介して前記画像形成装置と接続される少なくとも１つのシート処理装置とから構成される画像形成システムであって、
前記画像形成装置に搭載され、前記画像形成システムを制御するとともに、前記画像形成システムの構成情報を作成する第１の制御手段と、
前記第１の制御手段によって作成された前記画像形成システムの構成情報を記憶する構成情報記憶手段と、
前記シート処理装置に搭載され、前記通信手段に接続された前記シート処理装置からなるサブシステムを構成し、前記サブシステム内のシート処理装置の構成情報を作成する第２の制御手段と、
前記第２の制御手段によって作成された前記シート処理装置の構成情報を前記第１の制御手段に通知する通知手段とを備え、
前記第１の制御手段は、前記通知されたシート処理装置の構成情報を基に、前記画像形成システムの構成情報を作成することを特徴とする画像形成システム。
【請求項２】
前記第２の制御手段は、前記通信手段に新たに接続されたシート処理装置の有無を判断する装置判断手段を備えることを特徴とする請求項１記載の画像形成システム。
【請求項３】
前記第２の制御手段は、前記通信手段に新たに接続されたシート処理装置が有った場合に、該シート処理装置に対し、前記サブシステムを構成する役割を移譲するか否かを判断する移譲判断手段を備え、
前記サブシステムを構成する役割が移譲された場合、前記新たに接続されたシート処理装置に搭載された第２の制御手段は、既に作成済みの前記シート処理装置の構成情報を、前記役割を移譲したシート処理装置から受け取り、前記サブシステム内のシート処理装置の構成情報を新たに作成することを特徴とする請求項２記載の画像形成システム。
【請求項４】
前記移譲判断手段は、前記通信手段に接続されたシート処理装置の固有情報に基づき、前記判断を行うことを特徴とする請求項３記載の画像形成システム。
【請求項５】
前記シート処理装置は前記画像形成装置とは独立した第２の電源を有し、前記画像形成装置の第１の電源がオンになる前に前記第２の電源がオンになると、前記第２の制御手段は前記サブシステムを構成することを特徴とする請求項１記載の画像形成システム。
【請求項６】
画像を形成する画像形成装置と複数のシート処理装置とを有する画像形成システムを構成する該シート処理装置の制御方法であって、
電源投入に応じて初期化動作を行う初期動作ステップと、
ネットワークを介して、該ネットワークに参加している他の装置に対して、自機がネットワークに参加したことを通知する接続通知コマンドを送信する接続通知コマンド送信ステップと、
前記ネットワークを介して、前記ネットワークに参加している装置の情報を管理する管理モードが設定されている他の装置から接続応答コマンドを受信する受信ステップと、
所定時間内に接続応答コマンドを受信しなかった場合は、前記管理モードを設定する管理モード設定ステップと、
前記所定時間内に接続応答コマンドを受信した場合は、前記管理モードが設定されている他の装置に対して、自機の構成情報を送信する構成情報送信ステップと、
前記管理モード設定ステップにより前記管理モードが設定された場合は、前記ネットワークを介して、該ネットワークに参加する他の装置から接続通知コマンドを受信し、該ネットワークに参加する他の装置からの接続通知コマンドに応じて該該ネットワークに参加する他の装置に対して接続応答コマンドを送信し、該ネットワークに参加する他の装置から該ネットワークに参加する他の装置の構成情報を受信するステップとを有することを特徴とするシート処理装置の制御方法。
【請求項７】
さらに、前記管理モード設定ステップにより前記管理モードが設定された場合に、前記ネットワークに参加する他の装置から受信した接続通知コマンドに基づき、前記管理モードを該ネットワークに参加する他の装置に委譲するか否かを決定する決定ステップを有することを特徴とする請求項６記載のシート処理装置の制御方法。
【手続補正２】
【補正対象書類名】明細書
【補正対象項目名】発明の名称
【補正方法】変更
【補正の内容】
【発明の名称】画像形成システムおよびシート処理装置の制御方法
【手続補正３】
【補正対象書類名】明細書
【補正対象項目名】０００１
【補正方法】変更
【補正の内容】
【０００１】
本発明は、画像を形成する画像形成装置および少なくとも１つのシート処理装置から構成される画像形成システム、および画像形成システムを構成するシート処理装置の制御方法に関する。
【手続補正４】
【補正対象書類名】明細書
【補正対象項目名】０００７
【補正方法】変更
【補正の内容】
【０００７】
そこで、本発明は、画像形成システムの構成情報の処理にかかる時間および通信時間を短縮することができる画像形成システム、および画像形成システムを構成するシート処理装置の制御方法を提供することを目的とする。
【手続補正５】
【補正対象書類名】明細書
【補正対象項目名】０００９
【補正方法】変更
【補正の内容】
【０００９】
本発明のシート処理装置の制御方法は、画像を形成する画像形成装置と複数のシート処理装置とを有する画像形成システムを構成する該シート処理装置の制御方法であって、電源投入に応じて初期化動作を行う初期動作ステップと、ネットワークを介して、該ネットワークに参加している他の装置に対して、自機がネットワークに参加したことを通知する接続通知コマンドを送信する接続通知コマンド送信ステップと、前記ネットワークを介して、前記ネットワークに参加している装置の情報を管理する管理モードが設定されている他の装置から接続応答コマンドを受信する受信ステップと、所定時間内に接続応答コマンドを受信しなかった場合は、前記管理モードを設定する管理モード設定ステップと、前記所定時間内に接続応答コマンドを受信した場合は、前記管理モードが設定されている他の装置に対して、自機の構成情報を送信する構成情報送信ステップと、前記管理モード設定ステップにより前記管理モードが設定された場合は、前記ネットワークを介して、該ネットワークに参加する他の装置から接続通知コマンドを受信し、該ネットワークに参加する他の装置からの接続通知コマンドに応じて該該ネットワークに参加する他の装置に対して接続応答コマンドを送信し、該ネットワークに参加する他の装置から該ネットワークに参加する他の装置の構成情報を受信するステップとを有することを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明の請求項１に係る画像形成システムによれば、通知されたサブシステム内のシート処理装置の構成情報を基に、画像形成システムの構成情報を作成するので、画像形成システムの構成情報の処理にかかる時間および通信時間を短縮することができる。従って、画像形成システムを高速で起動させることができ、使用者の待ち時間を短縮することができる。また、頻繁な構成変更の発生に対しても有効である。さらに、各シート処理装置における詳細な構成情報にも対応することができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項２、３に係る画像形成システムによれば、サブシステム内のシート処理装置の構成情報を容易に更新することができる。
【手続補正１１】
【補正対象書類名】明細書
【補正対象項目名】００１５
【補正方法】変更
【補正の内容】
【００１５】
請求項４に係る画像形成システムによれば、シート処理装置の種類に応じて、サブシステムを構成する役割を移譲することができる。
【手続補正１２】
【補正対象書類名】明細書
【補正対象項目名】００１６
【補正方法】変更
【補正の内容】
【００１６】
請求項５に係る画像形成システムによれば、起動時の通信によって行われる、画像形成システムの構成情報の処理にかかる時間および通信時間を短縮することができる。
【手続補正１３】
【補正対象書類名】明細書
【補正対象項目名】００１７
【補正方法】変更
【補正の内容】
【００１７】
請求項６に係るシート処理装置の制御方法によれば、画像形成システムを構成する装置の電源投入の順番にかかわらず画像形成システムの構成情報を取得することができ、画像形成システムの起動時間を短縮することができる。
【手続補正１４】
【補正対象書類名】明細書
【補正対象項目名】００１８
【補正方法】削除
【補正の内容】